(57)【要約】【課題】リモコン送信器が使用不能であることを照明器具側で把握できる照明装置を提供する。【解決手段】照明装置は、蛍光ランプ１４と、蛍光ランプ１４に点灯電力を供給する安定器１１と、外部からの電波信号を受信するＲＦ受信回路１３と、ＲＦ受信回路１３が受信した電波信号に含まれる操作信号に応じて安定器１１に制御信号を出力する制御回路１２とを具備する照明器具１、および、電波信号を送信するＲＦ送信回路２３と、複数の操作スイッチからなる操作部２１と、操作部２１の操作に応じた操作信号をＲＦ送信回路２３から送信させるリモコン制御回路２２とを具備するリモコン送信器２を備える。リモコン送信器２は、ペアリング設定された照明器具１に対して定期的に所定の電波信号を送信し、照明器具１は、ペアリング設定されたリモコン送信器２から定期的に送られる所定の電波信号を受信すると、リモコン送信器２が正常に機能していると判断する。【選択図】図１
2011049009.tif 000002
【特許請求の範囲】
【請求項１】
光源と、光源に点灯電力を供給する点灯回路と、外部からの電波信号を受信する受信回路と、受信回路が受信した電波信号に含まれる操作信号に応じて前記点灯回路に制御信号を出力する制御回路とを具備する照明器具、および、前記電波信号を送信する送信回路と、複数の操作スイッチからなる操作部と、操作部の操作に応じた操作信号を前記送信回路から送信させるリモコン制御回路とを具備するリモコン送信器を備え、前記制御回路は、ペアリング設定されたリモコン送信器からの電波信号に基づいてのみ前記点灯回路に制御信号を出力し、前記リモコン送信器は、ペアリング設定された照明器具に対して定期的に所定の電波信号を送信し、前記照明器具は、ペアリング設定されたリモコン送信器から定期的に送られる前記所定の電波信号を受信すると、当該リモコン送信器が正常に機能していると判断することを特徴とする照明装置。
【請求項２】
前記照明器具は、ペアリング設定されたリモコン送信器から定期的に送られる前記所定の電波信号が受信できなくなると、異常状態にあると判断して前記光源を点灯させることを特徴とする請求項１記載の照明装置。
【請求項３】
常夜灯および表示灯のうち少なくとも何れか一方を前記照明器具に備え、前記照明器具は、ペアリング設定されたリモコン送信器から定期的に送られる前記所定の電波信号が受信できなくなると、異常状態にあると判断して前記光源を点灯させるとともに、自己が備える前記常夜灯または表示灯を同時に点灯または点滅させることを特徴とする請求項２記載の照明装置。
【発明の詳細な説明】
【技術分野】
【０００１】
本発明は、電波式のリモコン送信器によって照明器具を遠隔制御する照明装置に関するものである。
【背景技術】
【０００２】
従来より、リモコン送信器によって遠隔制御できる電気機器（例えば照明器具やテレビなど）が提供されている（例えば特許文献１，２参照）。これらの電気機器では、リモコン送信器からの電波信号を受信するための受信回路が機器本体に設けられており、当該受信回路が電波信号を受信すると、受信した電波信号に含まれる制御内容に応じて機器本体の機能（例えばテレビのチャンネルや照明器具の照度など）が変更される。そして、これらの電気機器では、紛失したリモコン送信器を探し出す機能が設けられており、機器本体側からの探索電波信号をリモコン送信器が受信すると、リモコン送信器は信号音を発生させて所在を利用者に知らせるのである。
【先行技術文献】
【特許文献】
【０００３】
【特許文献１】特開平７−１８４２８６号公報（段落［０００７］−段落［０００９］、及び、第１図）
【特許文献２】特開２００３−１５８７８１号公報（段落［０００６］−段落［００１７］、及び、第１図〜第３図）
【発明の概要】
【発明が解決しようとする課題】
【０００４】
上述の特許文献１，２に示した電気機器では、上記の探索電波信号が届く範囲内にリモコン送信器がある場合には、信号音を発生させて所在を知らせることができるが、例えば電波の圏外にリモコン送信器がある場合やリモコン送信器の電池が切れた場合などは、上記の探索電波信号をリモコン送信器が受信できず、また機器本体の制御もできなくなるものであった。特に、電気機器が照明器具の場合には、リモコン操作ができないことから明るさを確保できず、その結果夜間などは足元が見えず危険な場合があった。
【０００５】
また、リモコン送信器から送信される電波信号と同じ周波数の電波信号が他の機器から出ている場合、機器本体側ではリモコン送信器からの電波信号を受信することができず、そのためリモコン送信器による制御ができない場合があった。
【０００６】
本発明は上記問題点に鑑みて為されたものであり、その目的とするところは、リモコン送信器が使用不能であることを照明器具側で把握できる照明装置を提供することにある。
【課題を解決するための手段】
【０００７】
請求項１の発明は、光源と、光源に点灯電力を供給する点灯回路と、外部からの電波信号を受信する受信回路と、受信回路が受信した電波信号に含まれる操作信号に応じて点灯回路に制御信号を出力する制御回路とを具備する照明器具、および、電波信号を送信する送信回路と、複数の操作スイッチからなる操作部と、操作部の操作に応じた操作信号を送信回路から送信させるリモコン制御回路とを具備するリモコン送信器を備え、制御回路は、ペアリング設定されたリモコン送信器からの電波信号に基づいてのみ点灯回路に制御信号を出力し、リモコン送信器は、ペアリング設定された照明器具に対して定期的に所定の電波信号を送信し、照明器具は、ペアリング設定されたリモコン送信器から定期的に送られる所定の電波信号を受信すると、当該リモコン送信器が正常に機能していると判断することを特徴とする。
【０００８】
請求項２の発明は、照明器具は、ペアリング設定されたリモコン送信器から定期的に送られる所定の電波信号が受信できなくなると、異常状態にあると判断して光源を点灯させることを特徴とする。
【０００９】
請求項３の発明は、常夜灯および表示灯のうち少なくとも何れか一方を照明器具に備え、照明器具は、ペアリング設定されたリモコン送信器から定期的に送られる所定の電波信号が受信できなくなると、異常状態にあると判断して光源を点灯させるとともに、自己が備える常夜灯または表示灯を同時に点灯または点滅させることを特徴とする。
【発明の効果】
【００１０】
請求項１の発明によれば、例えばリモコン送信器の電池が切れたり、リモコン送信器が電波の圏外に持ち出されたり、あるいは同じ周波数の電波信号が他の機器から送信されている状態では、リモコン送信器から定期的に送られる電波信号を照明器具側で受信できないので、この状態を検出することによってリモコン送信器が正常に機能していないことを照明器具側で把握することができる。そして、リモコン送信器が正常に機能していないことを検出した場合には、何らかの対策を取ることができるという効果がある。
【００１１】
請求項２の発明によれば、リモコン送信器が使用不能であることを検出して光源を点灯させることによって、夜間などにおいても明るさを確保することができるから、従来例に比べて安全性を向上させた照明装置を提供することができる。しかも、リモコン操作を行わないのに光源が点灯することから、リモコン送信器が使用不能であることを利用者に知らせることができ、その結果、例えばリモコン送信器の電池交換を行ったり、リモコン送信器を探すのを促すことができるから、利便性の高い照明装置を提供することができるという効果がある。
【００１２】
請求項３の発明によれば、光源を点灯させただけでは通常の点灯状態と区別できない可能性があり、リモコン送信器が使用できない状態にあることを利用者が気づかない場合があるが、常夜灯または表示灯を同時に点灯または点滅させることによって、通常の点灯状態と区別することができるので、リモコン送信器が使用できない状態にあることを利用者に確実に知らせることができるという効果がある。
【図面の簡単な説明】
【００１３】
【図１】本実施形態の照明装置の模式図である。
【図２】同上に用いられる照明器具のＲＦ受信回路と制御回路のブロック構成図である。
【図３】同上に用いられるリモコン送信器の動作を説明するフローチャートである。
【図４】（ａ）（ｂ）は同上に用いられる照明器具の動作を説明するフローチャートである。
【図５】同上に用いられる他の照明器具の動作を説明するフローチャートである。
【発明を実施するための形態】
【００１４】
以下に、本発明に係る照明装置の実施形態を図面に基づいて説明する。本発明に係る照明装置は、例えば建物の室内などに設置されて、リモコン送信器から送られる電波信号に応じて光源（例えば蛍光ランプなど）が点灯、消灯または調光される。
【００１５】
図１は本実施形態の照明装置の模式図であり、本照明装置は、例えば天井などに取り付けられる照明器具１と、照明器具１の照明状態を制御するためのリモコン送信器２とで構成されている。
【００１６】
照明器具１は、蛍光ランプ（光源）１４と、蛍光ランプ１４を点灯、消灯または調光させる安定器（点灯回路）１１と、リモコン送信器２から送られる電波信号を受信するためのＲＦ受信回路（受信回路）１３と、ＲＦ受信回路１３が受信した電波信号に含まれる操作信号に応じて安定器１１に制御信号を出力する制御回路１２とを備えている。
【００１７】
ＲＦ受信回路１３は、図２に示すように、リモコン送信器２から送られる電波信号を受信して所定のデータに復調するレシーバーＩＣ１３ａと、マイコン１３ｂと、後述のペアリング設定する際に用いられるスイッチＳＷ１とで構成されており、また制御回路１２は、マイコン１２ａと、例えば動作プログラムやペアリング設定されたリモコン送信器２のＩＤなどを記憶するためのＥＥＰＲＯＭ１２ｂとで構成されている。
【００１８】
リモコン送信器２は、電波信号を送信するためのＲＦ送信回路２３と、例えば調光用や点灯、消灯用などの複数の操作スイッチ（図示せず）からなる操作部２１と、操作部２１の操作に応じた操作信号をＲＦ送信回路２３から電波信号で送信させるリモコン制御回路２２とを備えている。操作部２１では、押された操作スイッチに対応する信号をリモコン制御回路２２に出力し、リモコン制御回路２２では、受け取った信号に基づいて所定の操作信号を作成し、作成した操作信号をＲＦ送信回路２３に出力する。そして、ＲＦ送信回路２３では、受け取った操作信号を変調し、変調した操作信号を電波信号により送信する。なお、上記の電波信号には、後述のペアリング機能を実現すべく、各リモコン送信器２にそれぞれ割り当てられた固有のＩＤが含まれている。
【００１９】
ここにおいて、上記の照明器具１にはペアリング機能が設けられており、この機能によってペアリング設定されたリモコン送信器２からの電波信号に含まれる操作信号以外では動作しないようになっている。
【００２０】
ペアリング設定は以下の手順で実行される。ＲＦ受信回路１３に設けられたスイッチＳＷ１をＯＮにすることで、ＲＦ受信回路１３のマイコン１３ｂおよび制御回路１２のマイコン１２ａの動作モードがペアリング設定モードに切り替えられる。一方、リモコン送信器２には個別のＩＤが記憶されており、照明器具１側をペアリング設定モードに切り替えた状態で、設定したいリモコン送信器２を操作してＩＤを含む電波信号を送信すると、照明器具１側ではＲＦ受信回路１３によりこの電波信号を受信し、受信した電波信号に含まれるＩＤを制御回路１２のＥＥＰＲＯＭ１２ｂに記憶させる。そして、上記ＩＤをＥＥＰＲＯＭ１２ｂに記憶させることでペアリング設定が完了し、マイコン１２ａ，１３ｂは、動作モードをペアリング設定モードから通常制御モードに切り替える。その結果、ペアリング設定が完了した後は、ペアリング設定されたリモコン送信器２により蛍光ランプ１４を点灯、消灯または調光できるようになる。
【００２１】
ここで、リモコン送信器２から送られる電波信号に対するＲＦ受信回路１３および制御回路１２の動作を、図２に基づいて説明する。ＲＦ受信回路１３のレシーバーＩＣ１３ａでは、リモコン送信器２から送られた電波信号を受信するとともに、受信した電波信号を所定のデータに復調してマイコン１３ｂに出力する。マイコン１３ｂでは、受け取ったデータに含まれるリモコン送信器２のＩＤが、ペアリング設定されたリモコン送信器２のＩＤと一致するか否かを判定し、ＩＤが一致する場合にはデータに含まれる操作信号を取り込む。そして、上記の操作信号をシリアル通信（例えばＵＡＲＴなど）によって制御回路１２のマイコン１２ａに送信し、マイコン１２ａでは、受け取った操作信号に対応する制御信号を作成して安定器１１に出力する。その結果、リモコン送信器２の操作に応じて蛍光ランプ１４が点灯、消灯または調光される。
【００２２】
ところで、本実施形態の照明装置では、リモコン送信器２の異常や通信状態の異常などを検出して利用者に報知する機能が設けられており、そのためリモコン送信器２から照明器具１に向けて定期的に所定の電波信号（報知信号）が送信されるようになっている。そして、照明器具１側では、この報知信号が受信できている間はリモコン送信器２が正常に機能していると判断し、この報知信号が受信できなくなると異常状態にあると判断して蛍光ランプ１４を強制的に点灯させるようになっている。
【００２３】
次に、リモコン送信器２を構成するリモコン制御回路２２の動作を、図３のフローチャートに基づいて説明する。リモコン制御回路２２では、一定時間Ｔごとに所定の割り込み処理が実行されるようになっており（ステップＳ１）、この割り込み処理内では、まず最初に操作部２１の操作スイッチが押されたか否かを判別する（ステップＳ２）。そして、リモコン制御回路２２は、何れかの操作スイッチが押された場合には押された操作スイッチに応じた操作信号をＲＦ送信回路２３に出力し（ステップＳ３）、その後割り込み回数をカウントするカウンタ変数Ｎをインクリメントする（ステップＳ４）。また、何れの操作スイッチも押されていない場合には、カウンタ変数Ｎのみをインクリメントする（ステップＳ４）。
【００２４】
続けて、リモコン制御回路２２は、カウンタ変数Ｎ＝Ｘ（Ｘは所定の閾値）であるか否かを判別し（ステップＳ５）、カウンタ変数Ｎ＝Ｘである場合には報知信号をＲＦ送信回路２３に出力するとともに（ステップＳ６）、カウンタ変数Ｎを０にリセットして（ステップＳ７）、割り込み処理を終了させる（ステップＳ８）。すなわち、本実施形態では、時間（Ｘ×Ｔ）ごとに報知信号を出力することになる。また、カウンタ変数Ｎ≠Ｘである場合には、リモコン制御回路２２は何もせずに割り込み処理を終了させる（ステップＳ８）。ここにおいて、上記の閾値Ｘは、リモコン送信器２の電池寿命が極端に短くならない範囲で、且つ、報知信号の送信間隔（Ｘ×Ｔ）が極力短くなるような値に設定するのが望ましい。
【００２５】
また、照明器具１を構成する制御回路１２の動作を、図４（ａ）（ｂ）のフローチャートに基づいて説明する。制御回路１２では、ＲＦ受信回路１３との間のシリアル通信による割り込み処理と、一定時間Ｔごとに実行される割り込み処理があり、前者の割り込み処理はＲＦ受信回路１３のマイコン１３ｂからのシリアル信号が入力されると実行される（ステップＳ１１）。そして、制御回路１２では、シリアル通信によってマイコン１２ａに取り込まれた受信データをＥＥＰＲＯＭ１２ｂに記憶させ（ステップＳ１２）、割り込み処理を終了させる（ステップＳ１３）。なお、本実施形態では、シリアル信号の取りこぼしを防止するため、シリアル通信による割り込み処理が、一定時間Ｔごとに実行される割り込み処理よりも優先されるようになっている。
【００２６】
一方、後者の割り込み処理は、上述したリモコン送信器２の場合と同様に一定時間Ｔごとに実行され（ステップＳ２１）、まず最初にＥＥＰＲＯＭ１２ｂに記憶させたデータが読み出される（ステップＳ２２）。そして、制御回路１２は、このデータが上記の報知信号か否かを判別し（ステップＳ２３）、報知信号である場合にはカウンタ変数Ｎを０にリセットするとともに（ステップＳ２４）、リモコン操作に伴う通常制御を実行し（ステップＳ２５）、割り込み処理を終了させる（ステップＳ２９）。
【００２７】
また、読み出したデータが報知信号でない場合には、制御回路１２はカウンタ変数Ｎをインクリメントした後（ステップＳ２６）、カウンタ変数Ｎ＞３Ｘであるか否かを判別する（ステップＳ２７）。そして、制御回路１２は、カウンタ変数Ｎ＜３Ｘである場合にはリモコン操作に伴う通常制御を実行し（ステップＳ２５）、カウンタ変数Ｎ＞３Ｘである場合には蛍光ランプ１４を強制点灯させて、リモコン送信器２が使用不能であることを利用者に知らせる（ステップＳ２８）。すなわち、本実施形態では、報知信号を３回続けて受信できない場合にリモコン送信器２が使用不能であると判断している。なお、リモコン送信器２が使用不能となる原因としては、例えばリモコン送信器２の電池が切れた場合や、リモコン送信器２が電波の圏外にある場合、あるいはリモコン送信器２から送られる電波信号と同じ周波数の電波信号が他の機器から送信されている場合などが想定され、例えば電池交換によってリモコン送信器２が使用可能になった場合には、蛍光ランプ１４の強制点灯が解除される。
【００２８】
而して、本実施形態によれば、例えばリモコン送信器２の電池が切れたり、リモコン送信器２が電波の圏外に持ち出されたり、あるいは同じ周波数の電波信号が他の機器から送信されている状態では、リモコン送信器２から定期的に送られる電波信号（報知信号）を照明器具１側で受信できないので、この状態を検出することによってリモコン送信器２が正常に機能していないことを照明器具１側で把握することができる。そして、リモコン送信器２が使用不能であることを検出して蛍光ランプ１４を強制点灯させることによって、夜間などにおいても明るさを確保することができるから、従来例に比べて安全性を向上させた照明器具を提供することができる。しかも、リモコン操作を行わないのに蛍光ランプ１４が点灯することから、リモコン送信器２が使用不能であることを利用者に知らせることができ、その結果、例えばリモコン送信器２の電池交換を行ったり、リモコン送信器２を探すのを促すことができるから、利便性の高い照明装置を提供することができる。
【００２９】
なお、本実施形態では、異常状態を検出した場合に蛍光ランプ１４を点灯させているが、利用者に異常状態を知らせることができればよく、例えば蛍光ランプ１４を点滅させてもよい。また、本実施形態では、３回連続して報知信号を受信できない場合に異常状態にあると判断しているが、例えば２回や４回以上連続して受信できない場合に異常状態にあると判断してもよい。
【００３０】
次に、図５は他の照明器具１を用いた照明装置の動作を説明するフローチャートであり、上述した照明装置では、リモコン送信器２からの報知信号が受信できない場合、蛍光ランプ１４を点灯させることで利用者にリモコン送信器２が使用不能であることを報知しているが、蛍光ランプ１４を点灯させただけでは異常状態にあることを利用者が気づかない場合がある。そこで、本例では、常夜灯（図示せず）を照明器具１に設け、リモコン制御の異常を検出した際には、蛍光ランプ１４を点灯させるとともに常夜灯を点灯させるように構成している（図２参照）。以下、動作について説明する。
【００３１】
照明器具１の制御回路１２では、一定時間Ｔごとに割り込み処理が実行され（ステップＳ３１）、まず最初にＥＥＰＲＯＭ１２ｂに記憶させたデータが読み出される（ステップＳ３２）。そして、制御回路１２は、このデータが上記の報知信号か否かを判別し（ステップＳ３３）、報知信号である場合にはカウンタ変数Ｎを０にリセットするとともに（ステップＳ３４）、リモコン操作に伴う通常制御を実行し（ステップＳ３５）、割り込み処理を終了させる（ステップＳ４０）。
【００３２】
また、読み出したデータが報知信号でない場合には、制御回路１２はカウンタ変数Ｎをインクリメントした後（ステップＳ３６）、カウンタ変数Ｎ＞３Ｘであるか否かを判別する（ステップＳ３７）。そして、制御回路１２は、カウンタ変数Ｎ＜３Ｘである場合にはリモコン操作に伴う通常制御を実行し（ステップＳ３５）、カウンタ変数Ｎ＞３Ｘである場合には蛍光ランプ１４を強制点灯させるとともに常夜灯も点灯させて、リモコン送信器２が使用不能であることを利用者に知らせるのである（ステップＳ３８，Ｓ３９）。
【００３３】
而して、本例によれば、蛍光ランプ１４を強制点灯させるとともに常夜灯を同時に点灯させることによって、通常の点灯状態と区別することができるので、リモコン送信器２が使用不能であることを利用者に確実に知らせることができる。
【００３４】
なお、本例では、照明器具１に常夜灯を設けた場合を例に説明したが、例えば常夜灯の代わりに表示灯であってもよく、また常夜灯および表示灯の両方を設けてもよい。また、リモコン送信器２が使用できない状態にあることを利用者に知らせることができればいいので、常夜灯や表示灯は点滅させてもよい。
【符号の説明】
【００３５】
１  照明器具
２  リモコン送信器
１１  安定器（点灯回路）
１２  制御回路
１３  ＲＦ受信回路（受信回路）
１４  蛍光ランプ（光源）
２１  操作部
２２  リモコン制御回路
２３  ＲＦ送信回路（送信回路）
【図１】
2011049009.tif 000003
【図２】
2011049009.tif 000004
【図３】
2011049009.tif 000005
【図４】
2011049009.tif 000006
【図５】
2011049009.tif 000007